(57)【要約】      （修正有）【課題】長尺の落ち葉・雑草をブロワーで吸引しても、落ち葉・雑草がホースの中で詰まることがないようにした落ち葉・雑草収集機を提供する。【解決手段】ホッパーと、ホッパーの一部を貫通するダクトと、ブロワーとからなる。ブロワーのインペラーを構成する複数枚の羽根の各々の前端部に、前端部の一部を削って刃を付けることにより、又は、刃部材を取り付けることにより、ブロワーの吸入側ホースに吹い込んだ落ち葉、雑草を、刃又は刃部材により細断して、ブロワーの排出側ホースに送り出す。【選択図】図２
0003160204.tif 000002
【実用新案登録請求の範囲】
【請求項１】
ホッパーと、そのホッパーの一部を貫通するダクトと、ブロワーとから成り、前記ブロワーの排出側ホースの先端を前記ダクトに連結して前記ブロワーを駆動することにより、前記ブロワーの吸入側ホースの先端から吸い込んだ落ち葉・雑草を前記排出側ホース及び前記ダクトを通って前記ホッパーに収納する落ち葉・雑草収集機において、
前記ブロワーのインペラーを構成する複数枚の羽根の各々の前端部の少なくとも一部を削って刃を付けることにより、前記吸入側ホースに吸い込んだ長尺の落ち葉・雑草を前記ブロワー内で、回転する前記インペラーの刃によって細断してから前記排出側ホースに送り出すようにしたことを特徴とする、前記の落ち葉・雑草収集機。
【請求項２】
ホッパーと、そのホッパーの一部を貫通するダクトと、ブロワーとから成り、前記ブロワーの排出側ホースの先端を前記ダクトに連結して前記ブロワーを回転させることにより、前記ブロワーの吸入側ホースの先端から吸い込んだ落ち葉・雑草を前記排出側ホース及び前記ダクトを通って前記ホッパーに収納する落ち葉・雑草収集機において、
前記ブロワーのインペラーを構成する複数枚の羽根の各々の前端部の少なくとも一部に、一端縁に刃を形成した刃部材を取り付けることにより、前記吸入側ホースに吸い込んだ長尺の落ち葉・雑草を前記ブロワー内で、回転する前記刃部材によって細断してから前記排出側ホースに送り出すようにしたことを特徴とする、前記の落ち葉・雑草収集機。
【考案の詳細な説明】
【技術分野】
【０００１】  本考案は、落ち葉をブロワーで吸引してホッパー内に収集する落ち葉・雑草収集機に関し、特にそのブロワーの改良に関する。
【背景技術】
【０００２】  従来の落ち葉収集機は、図１に示すように、地上に落ちている落ち葉を吸引し圧送するブロワー１０と、そのブロワー１０で圧送された落ち葉を収納するためのホッパー２０とからなる。ブロワー１０は、落ち葉をインペラー（図示せず）の回転による負圧で吸引するための吸引側ホース１１と、吸引した落ち葉をホッパー２０に向けて搬送する排出側ホース１２とを備える。排出側ホース１２の先端は、ホッパー２０の上面のほぼ中央部に取り付けられているダクト４０の側面に形成された開口（図示せず）に連通している。【０００３】  このブロワー１０と、ホッパー２０と、ブロワー１０を駆動する動力源（図示せず）は小型トラック（図示せず）の荷台に載せられた状態で落ち葉収集作業が実施される。ブロワー１０を駆動すると、落ち葉が図１の矢印のように吸引側ホース１１の先端から吸い込まれて、排出側ホース１２及びダクト４０を通ってホッパー２０内部に収納される。また、落ち葉とともにホッパー２０内部に吸引された空気及びダストはホッパー２０の底部に溜まるか、またはそこから外に排出される。なお、図１に示すホッパー２０は通風性のない材料で形成された防麈カバーに覆われており、符号５２はその防塵カバーの切れ目に取り付けられたファスナーであり、そのファスナー５２を開けることで防麈カバーを左右に拡げることができる。【０００４】
【先行技術文献】
【特許文献】
【０００５】
【特許文献１】  登録実用新案第３０９５１４３号公報
【考案の概要】
【考案が解決しようとする課題】
【０００６】  この図１に示した落ち葉収集機は、通常の落ち葉や刈芝を収集するときには十分に機能を発揮する。しかし、刈り取ってある地上に置かれている長尺の雑草（茎の長い雑草）を吸引側ホース１１で吸引すると、その雑草はブロワー１０を通過したあと、排出側ホース１２のところで詰まってしまってそこで滞留するので、その雑草及びその後から送られてくる雑草をホッパー２０にまで送ることができなくなる。【０００７】  長尺の雑草は、吸引側ホース１１を通過する間は、その雑草の長さ方向が吸引側ホース１１の軸心方向と一致するため、吸引側ホース１１の内壁にあたってその走行が妨げられることはほとんどない。しかし、その雑草がブロワー１０を通過するとき、回転するインペラーに当たって叩かれ折り曲げられて大きな塊状になって排出側ホース１２に送り出される。その結果、この雑草の塊が排出側ホース１２の内壁に当たってブリッジ現象を起こしそれ以上先に進めず、あとから送られてくる雑草の通過を妨げてしまうという問題が起こる。
そこで、本考案は、茎の長い雑草を吸引側ホースで吸引してもそれがブロワーを通過して排出側ホース１２に送り出されるときに大きな塊となって排出側ホース内に滞留しないように、ブロワー内部で細断することで上記の問題を解決しようとするものである。
【課題を解決するための手段】
【０００８】  本考案は、吸引した長尺の雑草をそれがブロワーを通過しているときにインペラーの回転の力を利用して細断することで、その雑草がブロワーから排出側ホースに送り出されるときに大きな塊にならないようにして、上記の問題を解決している。
【考案の効果】
【０００９】  吸引側ホースが吸引した長尺の雑草がブロワーを通過しているときにその雑草をインペラーの回転の力を利用して細断するので、その雑草がブロワーから排出側ホースに送り出されるときに大きな塊にならない。したがって、長尺の雑草を吸い込んでも、排出側ホースでその雑草が詰まることはなくなる。
【図面の簡単な説明】
【００１０】
【図１】従来技術による落ち葉収集機の斜視図である。
【図２】本考案による落ち葉・雑草収集機に使用されるブロワーの分解図である。
【図３】図２のブロワーを構成するインペラーの側面図である。
【図４】図３のインペラーの正面図と、このインペラーを構成する羽根の前端部の断面図である。
【考案を実施するための形態】
【００１１】  落ち葉・雑草収集機のブロワーのインペラーを構成する羽根の前端部に沿って刃を付ける。ホースに吸い込まれた茎の長い雑草はブロワー内で、回転するインペラーの羽根の刃によって細かく切断される。つまり、本考案による落ち葉・雑草収集機のインペラーは本来の送風機能に加え雑草切断機能を備えている。そして吸い込んだ茎の長い雑草は、ブロワーからホースに送りだされるときには細かく切断された状態になっているので、そのホース内で詰まり現象を起こすことがなくなる。
【実施例】
【００１２】  本考案による落ち葉・雑草収集機の特徴は、図１に示す落ち葉収集機のブロワー１０を改良していることである。そこで、この改良されたブロワーについて図２、図３及び図４を使用して説明する。【００１３】  図２は、本考案による落ち葉・雑草収集機で使用されるブロワーの分解図である。図２において、符号１０１はブロワー１０のインペラー１０４を回転駆動するためのエンジンである。このインペラー１０４はブロワーケーシング１０５の中に収納される。そのブロワーケーシング１０５はディスク状のエンジンアダプター１０３及びスペーサ１０２を介してエンジン１０１に固定される。その状態ではインペラー１０４のボスはキー１０９を介してエンジン１０１の出力軸に固定されている。なお、図２において、符号１０６はゴムパッキンであり、符号１０７はホースアダプタである。また、符号１１０はノブナットであり、符号１１１は座金であり、符号１１０８、１２はバネ座金であり、符号１１４はボルトであり、符号１１３、１１６及び１１７はＨボルトであり、符号１１５はナットである。【００１４】  図３及び図４は、図２に示すインペラー１０４の側面図及び正面図である。このインペラー１０４の構造の詳細を図３及び図４を用いて説明する。【００１５】  インペラー１０４は、ボス２０１と、そのボス２０１の周りに等間隔に（すなわち６０度間隔で）配置された６枚の羽根２０３と、その羽根２０３の後端縁をそれぞれ支えているディスク２０２とから構成される。ディスク２０２はボス２０１に固定され、ディスク２０２の中心はボス２０１の中心と一致している。【００１６】  さらに、各羽根２０３を構成する金属板には、その前端部を削って（先を尖らせて）その前端縁に沿って刃２０４を付けてある。図３では、各羽根２０３の前端部の「へ」の字状の領域に刃２０４を形成したことを示している。この領域では、前端縁に向かうにしたがってその羽根２０３を構成している金属板の厚さが徐々に薄くなるように金属板の面に対して斜め方向に削ることで刃２０４を付けている。図４のディスク２０２を表す円の外の図は、羽根２０３の断面図であって、羽根２０３を構成する金属板を１５度の角度で削って刃を付けたことを示している。【００１７】  図１に戻って、ブロワー１０の吸引力で吸引側ホース１１の先端の開口から吸い込まれた落ち葉や雑草は、吸引側ホース１１、ブロワー１０、排出側ホース１２、及びダクト４０を通ってホッパー２０内に収納される。吸引側ホース１１の前端の開口から茎の長い雑草が吸い込まれると、その雑草はブロワー１０内でインペラー１０４の羽根２０３の回転による力を受けて羽根２０３の前端端部の刃２０４で細かく切断されてから排出側ホース１２に送られる。【００１８】  したがって、吸引側ホース１１が茎の長い雑草を吸いこんでもブロワー１０を通過するときに細かく切断されるので、雑草の茎が折れ曲がってあるいは丸まってほぼ球形の大きな塊になることがないので、ブロワー１０から出て排出側ホース１２に送られたときこの排出側ホース１２内で詰まってしまうことがなくなる。【００１９】  前記の実施例では、ブロワー１０のインペラー１０４を構成する各羽根２０３の前端部の一部（図３に��す「へ」の字状の領域）を削って刃２０４を付けている例を示したが、これに代えて、各羽根２０３の前端部の少なくとも一部に、一端縁に沿って刃を形成した刃部材（図示せず）を溶接などの手段を用いて取り付けてもよい。
【符号の説明】
【００２０】１０  ブロワー
１１  吸入側ホース
１２  排出側ホース
２０  ホッパー
４０  ダクト
１０４  インペラー
２０４  刃
２０３  羽根
【図１】
0003160204.tif 000003
【図２】
0003160204.tif 000004
【図３】
0003160204.tif 000005
【図４】
0003160204.tif 000006